(57)【要約】【課題】被処理水中に硬度成分が含まれていても、スケールを発生させることなく、長期間安定に運転することができる電気脱イオン装置を提供する。【解決手段】陰極１２と陽極１１との間に、複数のアニオン交換膜１３とカチオン交換膜１４とを交互に配列して濃縮室１５と脱塩室１６とを交互に形成してなる電気脱イオン装置において、濃縮室１５にバイポーラ膜２０を設けて濃縮室１５内を陰極側区画室１５Ａと陽極側区画室１５Ｂに区画し、この濃縮室１５内にアニオン交換樹脂とカチオン交換樹脂との混合樹脂２１Ａ，２１Ｂを充填する。陰極側区画室１５Ａに充填される混合樹脂２１Ａは、カチオン交換樹脂の混合比率が高いものであり、陽極側区画室１５Ｂに充填される混合樹脂２１Ｂは、アニオン交換樹脂の混合比率が高いものである。【選択図】図１
2008030004.tif 000002
【特許請求の範囲】
【請求項１】
陰極と陽極との間に、複数のアニオン交換膜とカチオン交換膜とを交互に配列して濃縮室と脱塩室とを交互に形成し、前記濃縮室にアニオン交換樹脂とカチオン交換樹脂とを混合した混合樹脂を充填するとともに当該濃縮室にバイポーラ膜を設けて、当該濃縮室内に陰極側区画室と陽極側区画室とを形成した電気脱イオン装置であって、
前記陰極側区画室には、カチオン交換樹脂の混合比率が高い混合樹脂が充填され、前記陽極側区画室には、アニオン交換樹脂の混合比率が高い混合樹脂が充填されていることを特徴とする電気脱イオン装置。
【請求項２】
前記陰極側区画室に充填される混合樹脂のカチオン交換樹脂の混合比率が、５０超〜９０体積％であり、前記陽極側区画室に充填されるアニオン交換樹脂の混合比率が、５０超〜９０体積％であることを特徴とする請求項１に記載の電気脱イオン装置。
【請求項３】
前記バイポーラ膜は、アニオン交換層面が陽極側に位置し、カチオン交換層面が陰極側に位置するように設けられていることを特徴とする請求項１又は２に記載の電気脱イオン装置。
【請求項４】
前記脱塩室内にイオン交換体を充填したことを特徴とする請求項１〜３のいずれかに記載の電気脱イオン装置。
【請求項５】
前記脱塩室の流出水の一部を前記濃縮室の流入側へ供給する流路を設けたことを特徴とする請求項１〜４のいずれかに記載の電気脱イオン装置。
【発明の詳細な説明】
【技術分野】
【０００１】
本発明は、陰極と陽極との間に、複数のアニオン交換膜とカチオン交換膜とを交互に配列して濃縮室と脱塩室とを交互に形成してなる電気脱イオン装置に関し、特に、濃縮室の構成を改良することにより、濃縮室内でのスケールの発生を防止して長期間安定的にかつ効率良く運転可能な電気脱イオン装置に関する。
【背景技術】
【０００２】
従来、半導体製造工場、液晶製造工場、製薬工業、食品工業、電力工業等の各種の産業又は民生用ないし研究施設等において使用される脱イオン水の製造には、図５に示すような、電極（陽極１１，陰極１２）の間に複数のアニオン交換膜（Ａ膜）１３及びカチオン交換膜（Ｃ膜）１４を交互に配列して濃縮室１５と脱塩室１６とを交互に形成し、脱塩室１６にイオン交換樹脂、イオン交換繊維又はグラフト交換体等からなるアニオン交換体及びカチオン交換体を混合又は複層状に充填した電気脱イオン装置が多用されている（特許文献１〜３参照）。なお、図５において、１７は陽極室、１８は陰極室である。
【０００３】
電気脱イオン装置は、水解離によってＨ＋イオンとＯＨ−イオンを生成させ、脱塩室内に充填されているイオン交換体を連続して再生することによって、効率的な脱塩処理が可能であり、従来から広く用いられてきたイオン交換樹脂装置のような薬品を用いた再生処理を必要とせず、完全な連続採水が可能で、高純度の水が得られるという優れた効果を発揮する。
【０００４】
しかしながら、浄水場等で河川水、地下水等を除濁、脱塩素、軟化処理した水道水を電気脱イオン装置の被処理水として直接用いた場合や被処理水のカルシウム濃度が高いと、（１）濃縮室内でのスケール発生や（２）ＣＯ２負荷増大による処理水導電率の悪化等が起こることから、水道水を直接電気脱イオン装置の被処理水として通水することは行われていない。
【０００５】
上記（１），（２）の問題点のうち、（２）のＣＯ２負荷の増大については、比較的安価な脱炭酸装置を電気脱イオン装置の前処理装置として用いることにより解決できる。
【０００６】
しかしながら、（１）の濃縮室内でのスケールを防止するためには、さらに軟化装置等を設置して水中の硬度成分を完全に除去することが必要となるが、軟化装置を用いた場合には、その再生が必要となり、再生不要の電気脱イオン装置を用いることによる利点が失われてしまう。
【０００７】
このような問題点を解決するために、従来、電気脱イオン装置の前処理装置として、硬度成分及びＣＯ２濃度を低減するために、逆浸透膜装置（ＲＯ膜装置）、脱炭酸塔等を設置する方法が用いられている。
【０００８】
しかしながら、ＲＯ膜装置は１〜２ＭＰａという高圧で運転することから、高価な設備が必要となり、運転費用も上昇する。しかも、電気脱イオン装置の前処理装置としてＲＯ膜装置を用いた場合でも、ＲＯ膜からわずかにリークしてくるカルシウムによって、電気脱イオン装置の濃縮室内で炭酸カルシウムスケールが発生するため、長期間安定運転を行うことはできないという問題もあった。そこで、ＲＯ膜装置を直列に２段配置してカルシウム等をさらに除去することも行われているが、経費等の点で実用的でない。このため、通常の給水条件において１段のＲＯ膜装置で処理できる場合には、１段のＲＯ膜装置で純水製造システムを設計せざるをえず、かかる場合には、突発的にＣａ濃度や炭酸濃度が増加する等の給水条件の悪化や、ＲＯ膜装置の破過等に対応できず、濃縮室内でスケールが発生する懸念がある。
【０００９】
このような電気脱イオン装置において、スケールが発生するメカニズムを、図６を参照して説明する。
【００１０】
電気脱イオン装置のスケール発生因子として最も問題となるのが炭酸カルシウムである。電気脱イオン装置では、濃縮室の供給水として一般的に被処理水が分岐して用いられる。この濃縮室１５内においては、カチオン交換膜１４側の脱塩室１６からカルシウムイオン（Ｃａ２＋）がイオン交換されて透過し、電気的作用によってアニオン交換膜１３の表面に近づいてくる。一方、アニオン交換膜１３側の脱塩室１６からは炭酸水素イオン（ＨＣＯ３−）が透過する。そして、濃縮室１５内では、カルシウムイオン（Ｃａ２＋）又は炭酸水素イオン（ＨＣＯ３−）のどちらか一方でも高くなると、以下（１），（２）の反応により炭酸カルシウム（ＣａＣＯ３）が形成される。
ＨＣＯ３− ＋ ＯＨ− → ＣＯ３２− ＋Ｈ２Ｏ …（１）
Ｃａ２＋ ＋ ＣＯ３２− → ＣａＣＯ３ …（２）
【００１１】
このようにして濃縮室１５内でスケールが発生すると、電気抵抗が上昇し、電圧値を一定に保てなくなるため、安定した処理性能を維持できなくなる。しかも、上記反応は不可逆反応であるため、上記反応が進行した場合には、モジュールの洗浄や、さらに放置し続けると最終的には装置の交換という事態もあり得る。
【００１２】
また、一般に、炭酸カルシウムの飽和条件は、下記式で表される。
ｌｏｇ[Ｃａ２＋]＋ｌｏｇ[ＨＣＯ３−]＋ｐＨｓ＝ｌｏｇ(Ｋｓ／Ｋ２)
Ｋｓ：炭酸カルシウムの溶解度積
Ｋ２：炭酸の第２解離定数
ｐＨｓ：炭酸カルシウムの飽和ｐＨ
【００１３】
実際の水溶液中のｐＨと炭酸カルシウムの飽和ｐＨ（ｐＨｓ）との差は、ランジェリア指数（ＬＳＩ）と呼ばれ、
ＬＳＩ＝ｐＨ−ｐＨｓ＞０
となると炭酸カルシウムが析出することになる。
【００１４】
電気脱イオン装置の濃縮室１５内にも、脱塩室１６内の水解離で発生したＯＨ−イオンがアニオン交換膜１３側から透過してくるため、局所的にアルカリ性となっている。そのため、アニオン交換膜１３の表面でのＬＳＩは正（＞０）となることから、この濃縮室１５内のアニオン交換膜１３の近傍、炭酸カルシウムスケールが析出することになる。また、水酸化カルシウムが形成されることもあり得る。
【００１５】
そこで、本出願人はこのような濃縮室内のスケール問題を解消するものとして、濃縮室内にバイポーラ膜を具備する電気脱イオン装置について先に提案した（特許文献４参照）。
【特許文献１】特許第１７８２９４３号公報
【特許文献２】特許第２７５１０９０号公報
【特許文献３】特許第２６９９２５６号公報
【特許文献４】特開２００１−１９８５７７号公報
【発明の開示】
【発明が解決しようとする課題】
【００１６】
しかしながら、上記特許文献４に記載された電気脱イオン装置では、電気脱イオン装置に流入してくる原水の水質や運転条件によっては、電解電圧の上昇が発生し、運転に支障をきたすおそれがあった。そこで、その電圧の上昇の原因について種々検討した結果、バイポーラ膜界面での水乖離によって発生する水酸化物イオン及び水素イオンの移動が律速となって、電解抵抗が増加するためであることがわかった。
【００１７】
本発明は上記従来の問題点を解決し、被処理水中に硬度成分が含まれていても、スケールを発生させることなく、長期間安定に運転することができる電気脱イオン装置を提供することを目的とする。
【課題を解決するための手段】
【００１８】
上記課題を解決するために、本発明は、陰極と陽極との間に、複数のアニオン交換膜とカチオン交換膜とを交互に配列して濃縮室と脱塩室とを交互に形成し、前記濃縮室にアニオン交換樹脂とカチオン交換樹脂とを混合した混合樹脂を充填するとともに当該濃縮室にバイポーラ膜を設けて、当該濃縮室内に陰極側区画室と陽極側区画室とを形成した電気脱イオン装置であって、前記陰極側区画室には、カチオン交換樹脂の混合比率が高い混合樹脂が充填され、前記陽極側区画室には、アニオン交換樹脂の混合比率が高い混合樹脂が充填されていることを特徴とする電気脱イオン装置を提供する（請求項１）。
【００１９】
上記発明（請求項１）によれば、濃縮室内にバイポーラ膜を配置すると、アニオン交換膜側の脱塩室から濃縮室内に透過してきた炭酸水素イオンと、カチオン交換膜側から透過してきたカルシウムイオンとは、それぞれバイポーラ膜により遮断されるため、濃縮室内で炭酸カルシウムを形成することがない。これにより、濃縮室内での炭酸カルシウムスケールの発生を防止することができる。さらに、アニオン交換膜側から透過してくる脱塩室内の水解離で発生したＯＨ−イオンもバイポーラ膜により遮断されるため、濃縮室内で水酸化カルシウムを形成することもない。そして、この濃縮室に設けられたバイポーラ膜で区画されたそれぞれの区画室内においては、陰極側区画室は、カチオン交換樹脂の混合比率を高くすることで、バイポーラ膜界面における水乖離によって発生した水素イオンの移動を促進し、アニオン交換膜を透過してきた水酸化物イオンとの結合が起りやすくなる。一方、陽極側区画室にはアニオン交換樹脂の混合比率を高くすることで、バイポーラ膜界面における水乖離によって発生した水酸化物イオンの移動が促進されるため、カチオン交換膜を透過してきた、水素イオンと結合しやすくなる。この結果、電流が流れやすくなり、電圧上昇が抑制され、安定した処理水質が得られるようになる。
【００２０】
上記発明（請求項１）においては、前記陰極側区画室に充填される混合樹脂のカチオン交換樹脂の混合比率が、５０超〜９０体積％であり、前記陽極側区画室に充填されるアニオン交換樹脂の混合比率が、５０超〜９０体積％であることが好ましい（請求項２）。
【００２１】
上記発明（請求項２）によれば、陰極側の区画室では、バイポーラ膜界面における水乖離によって発生した水素イオンの移動が促進され、アニオン交換膜を透過してきた水酸化物イオンとの結合が起りやすくなる。一方、陽極側の区画室ではバイポーラ膜界面における水乖離によって発生した水酸化物イオンの移動が促進されるため、カチオン交換膜を透過してきた、水素イオンと結合しやすくなる。これらにより、一層、電流が流れやすくなり、電圧上昇が抑制され、安定した処理水質が得られる。
【００２２】
上記発明（請求項１，２）においては、前記バイポーラ膜は、アニオン交換層面が陽極側に位置し、カチオン交換層面が陰極側に位置するように設けられていることが好ましい（請求項３）。
【００２３】
上記発明（請求項３）によれば、アニオン交換膜側の脱塩室から濃縮室内に透過してきた炭酸水素イオンと、カチオン交換膜側から透過してきたカルシウムイオンとを遮断するとともに、アニオン交換膜側から透過してくる脱塩室内の水解離で発生したＯＨ−イオンもバイポーラ膜により遮断することができる。
【００２４】
また、上記発明（請求項１〜３）においては、前記脱塩室内にイオン交換体を充填した構成とすることができる（請求項４）。かかる発明（請求項４）によれば、脱塩室内で得られる脱イオン水の水質をより向上させることができる。
【００２５】
さらに、上記発明（請求項１〜４）においては、前記脱塩室の流出水の一部を前記濃縮室の流入側へ供給する流路を設けた構成とすることができる（請求項５）。かかる発明（請求項５）によれば、水道水のようにカルシウム濃度の高い水を処理する場合であっても、脱イオン水の一部を濃縮室に導入することで、濃縮室の循環水を脱イオン水で希釈してカルシウム濃度を低減することができ、これにより、スケールの発生を一層防止することができる。
【発明の効果】
【００２６】
本発明の電気脱イオン装置によれば、濃縮室内にバイポーラ膜を配置することにより、濃縮室内で炭酸水素イオンや水酸イオンとカルシウムイオンとが会合することがないため、濃縮室内で炭酸カルシウムや水酸化カルシウムの形成を抑制することができ、被処理水中に硬度成分が含まれていても濃縮室内にスケールを発生させることなく、電気脱イオン装置を長期間安定的に運転することができる。さらに、バイポーラ膜の境界面における水乖離によって発生する水酸化物イオンと水素イオンとの移動が速やかに行われるので、電解抵抗の増加を押さえ、長期間安定に運転することができ、消費電力の低減を図ることができる。また、被処理水の水質によっては、前処理装置として必要とされていたＲＯ膜装置を省くことができ、設備コスト、処理コストの低減を図ることもできる。
【発明を実施するための最良の形態】
【００２７】
以下、図面を参照して本発明の実施の形態を詳細に説明する。
図１は、本発明の一実施形態に係る電気脱イオン装置を示す概略構成図であり、図２及び図３は同実施形態に係る電気脱イオン装置の濃縮室の拡大断面図である。図１〜３においては、図５及び図６に示す従来の電気脱イオン装置と同一の構成には同一の符号を付してある。
【００２８】
本実施形態に係る電気脱イオン装置は、濃縮室１５内にバイポーラ膜２０を設けて濃縮室１５内を区画して、濃縮室１５内に陰極側区画室１５Ａと陽極側区画室１５Ｂとを形成し、この濃縮室１５内にアニオン交換樹脂とカチオン交換樹脂との混合樹脂２１Ａ，２１Ｂを充填した以外は、図５に示す従来の電気脱イオン装置と同様の構成となっている。
【００２９】
このバイポーラ膜２０は、陽極１１側にバイポーラ膜２０のアニオン交換層２０Ｂ側が位置し、陰極１２側にバイポーラ膜２０のカチオン交換層２０Ａ側が位置するように濃縮室１５内に設置されている。
【００３０】
なお、本発明で用いるバイポーラ膜２０としては、陰イオン交換層と陽イオン交換層とを有し、水電解効率が高いものであれば良く、特に制限はない。また、場合によっては、陰イオン交換膜と陽イオン交換膜とを重ね合わせて用いることもできる。
【００３１】
このような電気脱イオン装置において、陰極側区画室１５Ａに充填される混合樹脂２１Ａは、カチオン交換樹脂の混合比率が高いものであり、これにより、バイポーラ膜２０の界面において水乖離によって発生した水素イオンの移動が促進される。一方、陽極側区画室１５Ｂに充填される混合樹脂２１Ｂは、アニオン交換樹脂の混合比率が高いものであり、これにより、バイポーラ膜２０の界面における水乖離によって発生した水酸化物イオンの移動が促進される。この結果、電流が流れやすくなっている。このような効果が得られる理由については後述する。
【００３２】
具体的には、濃縮室１５に充填される混合樹脂の混合比率は、陰極側区画室１５Ａでは、カチオン交換樹脂の混合比率が５０超〜９０体積％（アニオン交換樹脂の混合比率が１０〜５０体積％未満）であるのが好ましい。カチオン交換樹脂の混合比率が５０体積％以下では、バイポーラ膜２０界面における水乖離によって発生した水素イオンの陰極側区画室１５Ａ内での移動促進効果が十分でない。一方、９０体積％を超えてもそれ以上の効果が得られないばかりか、アニオンの移動性が低下する。
【００３３】
また、陽極側区画室１５Ｂでは、アニオン交換樹脂の混合比率が５０超〜９０体積％（カチオン交換樹脂の混合比率が１０〜５０体積％未満）であるのが好ましい。アニオン交換樹脂の混合比率が５０体積％以下では、バイポーラ膜２０界面における水乖離によって発生した水酸化物イオンの陽極側区画室１５Ｂ内での移動促進効果が十分でない。一方、９０体積％を超えてもそれ以上の効果の向上が得られないばかりか、わずかに存在するカチオンの移動性が低下する。
【００３４】
次に、このような構成を有する電気脱イオン装置の作用について説明する。
図３に示すように、濃縮室１５内にバイポーラ膜２０が設けられているため、アニオン交換膜１３側の脱塩室１６から濃縮室１５内に透過してきた炭酸水素イオン及び水酸化物イオンは、バイポーラ膜２０を透過できず、また、カチオン交換膜１４側から透過してきたカルシウムイオン及び水素イオンもバイポーラ膜２０を透過できない。このため、濃縮室内での炭酸カルシウムスケールの発生を防止することができる。なお、説明の便宜上、図１及び図３において、混合樹脂２１Ａ及び混合樹脂２１Ｂは省略してある。
【００３５】
このとき、バイポーラ膜２０内では、理論水電解電圧（０．８３Ｖ）以上の電圧を印加することによって水解離が発生するため、電流が流れる。このため、バイポーラ膜２０を濃縮室１５内に設置することで、電気脱イオン装置の脱イオン性能が損なわれることはない。
【００３６】
しかしながら、このままでは電解電圧が上昇し、消費電力的にも安定運転上も好ましくない。これは、前述したバイポーラ膜２０界面での水乖離によって発生する水酸化物イオンと水素イオンの移動が律速となって、電解抵抗が増加するためである。そこで、本実施例においては、陰極側区画室１５Ａにカチオン交換樹脂の混合比率が高い混合樹脂２１Ａを充填することで、カチオンである水素イオンの移動性が向上し、アニオン交換膜（Ａ膜）１３を透過してきた水酸化物イオンとの結合が起りやすくなる。また、陽極側区画室１５Ｂにアニオン交換樹脂の比率が高い混合樹脂２１Ｂを充填しているので、アニオンである水酸化物イオンの移動性が向上し、カチオン交換膜（Ｃ膜）１４を透過してきた、水素イオンと結合しやすくなる。この結果、濃縮室１５全体としてみた場合に電流が流れやすくなり、水質の安定した処理水（脱イオン水）が得られる。
【００３７】
しかし、濃縮室１５内にバイポーラ膜２０を配置した場合であっても、水道水のようにカルシウム濃度の高い水を処理する場合には、スケールが発生する恐れがあるため、この場合には、脱塩室１６から得られる脱イオン水の一部を濃縮室１５に導入して、濃縮室循環水を脱イオン水で希釈してカルシウム濃度を低減することが好ましい。
【００３８】
本発明の電気脱イオン装置においては、濃縮室１５に陰極側区画室１５Ａと陽極側区画室１５Ｂとを形成し、この濃縮室１５内にアニオン交換樹脂とカチオン交換樹脂の混合樹脂２１Ａ，２１Ｂを充填しているが、脱塩室１６内には、イオン交換繊維又はグラフト交換体等からなるアニオン交換体及びカチオン交換体が混合又は複層状に充填されていることが、得られる脱イオン水の水質を向上させる点で好ましい。さらに、陽極室１７及び陰極室１８にもイオン交換体が充填されていてもよい。
【００３９】
本実施形態に係る電気脱イオン装置では、上述したように、濃縮室１５にバイポーラ膜２０を設けることで、濃縮室１５内での炭酸カルシウムスケールの発生を効果的に防止することができるが、この場合においても、水道水のようにカルシウム濃度の高い水を処理する場合には、スケールが発生するおそれがある。したがって、この場合には、図４に示すように、脱塩室１６から得られる脱イオン水の一部を濃縮室１５に導入して、濃縮室１５の循環水を脱イオン水で希釈し、カルシウム濃度を低減することが好ましい。同様に陽極室１７及び陰極室１８内の水についても、脱イオン水を用いることが好ましい。
【００４０】
また、濃縮室１５に導入する被処理水のみ軟化処理するようにしてもよく、この場合には、軟化装置が必要となるが、全ての被処理水を軟化処理する場合に比べてその処理コストは大幅に低減される。
【実施例】
【００４１】
以下、比較例及び実施例を挙げて本発明をより詳細に説明するが、本発明は下記の実施例に限定されるものではない。
なお、以下の比較例及び実施例で用いた試験装置は、下記の装置を活性炭装置、電気脱イオン装置の順で直列に配置したものである。
活性炭装置：「クリコールＫＷ１０−３０」，栗田工業社製
電気脱イオン装置：「クリテノンＳＨ型」，栗田工業社製
処理水量：１００Ｌ／ｈｒ
【００４２】
また、試験用の被処理水（市水）として以下のものを用意した。
被処理水：給水Ｃａ濃度２８ｐｐｍ（ＣａＣＯ３換算）
給水ＣＯ２濃度２９ｐｐｍ（ＣａＣＯ３換算）
【００４３】
〔比較例１〕
電気脱イオン装置のイオン交換膜及び脱塩室に充填するイオン交換樹脂として以下のものを用い、上記被処理水を電流値６．５Ａ、水回収率８０％、入口導電率１７０μＳ／ｃｍ、濃縮室初期流量２５Ｌ／ｈｒの条件で通水を行い、得られた処理水の１週間後、１月後、２月後及び３月後の印加電圧の経時変化を測定した。結果を表１に示すとともに、初期状態における印加電圧を合わせて示す。
なお、濃縮室循環水の補給水及び電極室水としては、被処理水を用いた。
アニオン交換膜：「アシプレックスＡ５０１ＳＢ」，旭化成工業社製
カチオン交換膜：「アシプレックスＫ５０１ＳＢ」，旭化成工業社製
イオン交換樹脂：アニオン交換樹脂（三菱化学社製，「ＳＡ１０Ａ」）とカチオン交換樹脂（三菱化学社製，「ＳＫ１Ｂ」）とを６：４の体積混合比率で混合したもの。
【００４４】
〔比較例２〕
比較例１で用いた電気脱イオン装置の濃縮室にバイポーラ膜を設けて図１に示す電気脱イオン装置を組み立て、この電気脱イオン装置を用いたこと以外は同様にして、通水試験を行った。結果を表１に合わせて示す。
なお、バイポーラ膜としてはアストム社製ＣＭＳ（商品名）を用いた。
【００４５】
〔実施例１〕
比較例２の電気脱イオン装置において、バイポーラ膜で区画された陰極側区画室１５Ａにアニオン交換樹脂：カチオン交換樹脂＝１：９の混合樹脂を充填し、陽極側区画室１５Ｂにアニオン交換樹脂：カチオン交換樹脂＝９：１の混合樹脂を充填した以外は、同様にして電気脱イオン装置を組み立て、この電気脱イオン装置を用いたこと以外は同様にして、通水試験を行った。結果を表１に合わせて示す。なお、アニオン交換樹脂及びカチオン交換樹脂は、比較例１で脱塩室に充填したものと同じである。
【００４６】
〔実施例２〕
実施例１において、図４に示す如く、被処理水の代りに脱塩室から得られた脱イオン水の一部（２０％）を濃縮室循環水の補給水及び電極室水として送給したこと以外は、同様にして、表１に示す通水条件で試験を行った。結果を表１に合わせて示す。
【００４７】
【表１】
2008030004.tif 000003
【００４８】
表１に示すように、比較例１の電気脱イオン装置では１週間で濃縮室側の差圧が上昇してしまい、運転不能となった。また、比較例２においては、通水開始１週間後には電解電圧が増加していった。これに対し、実施例１及び２の電気脱イオン装置では、電圧の増加も少なく、３ヶ月間安定して運転することができた。また、得られる処理水（脱イオン水）の水質も良好であった。
【図面の簡単な説明】
【００４９】
【図１】本発明の一実施形態に係る電気脱イオン装置を示す概略構成図である。
【図２】同実施形態に係る電気脱イオン装置における濃縮室を示す模式的な断面図である。
【図３】同実施形態に係る電気脱イオン装置における濃縮室のイオンの流れを示す断面図である。
【図４】本発明の一実施形態に係る電気脱イオン装置を示す系統図である。
【図５】従来の電気脱イオン装置を示す模式的な断面図である。
【図６】従来の電気脱イオン装置における濃縮室のイオンの流れを示す断面図である。
【符号の説明】
【００５０】
１０…イオン交換体
１１…陽極
１２…陰極
１３…アニオン交換膜
１４…カチオン交換膜
１５…濃縮室
１５Ａ…陰極側区画室
１５Ｂ…陽極側区画室
１６…脱塩室
１７…陽極室
１８…陰極室
２０…バイポーラ膜
２１Ａ…混合樹脂（カチオン交換樹脂の混合比率が５０体積％超）
２１Ｂ…混合樹脂（アニオン交換樹脂の混合比率が５０体積％超）
【図１】
2008030004.tif 000004
【図２】
2008030004.tif 000005
【図３】
2008030004.tif 000006
【図４】
2008030004.tif 000007
【図５】
2008030004.tif 000008
【図６】
2008030004.tif 000009